(57)【特許請求の範囲】
【請求項１】
複数の患者ベッドを監視する患者監視装置であって：
複数のセクタを表示するディスプレイと；
一つ以上のセクタを自動的に生成し、各セクタは、患者ベッド、又は患者ベッド内の患者に関連付けられている遠隔医療装置に対応し、一つ以上の遠隔医療装置から受信された患者のデータを前記ディスプレイの対応するセクタに表示するよう構成されるコントローラと；
を有し、
前記コントローラは
対応する前記一つ以上の遠隔医療装置から患者のデータを受信すると、又は未決定の（pending）患者の事象若しくはアラーム状態を示す患者のデータを受信すると、拡張された形式のセクタを自動的に表示し；
少なくとも部分的に透過的な前記拡張された形式のセクタを自動的に表示する、又は
（１）対応する前記遠隔医療装置から患者のデータを受信しないこと、若しくは（２）未決定の患者の事象、看護人のワークフロー、健康管理状態の変化若しくはアラーム状態を示さない、患者のデータを受信したことのうちの一つに応じて、折り畳まれた形式のセクタを自動的に表示する、
のうち少なくとも１つをなす；
ようプログラムされる、又は手段を有する、患者監視装置。
【請求項２】
前記コントローラは、さらに、
全ての前記折り畳まれた形式のセクタが均一のサイズになるように前記折り畳まれた形式のセクタのサイズを変更し、さらに全ての前記拡張された形式のセクタが均一のサイズになるように前記拡張された形式のセクタのサイズを変更し、前記セクタは前記ディスプレイの境界の範囲内で適合するように拡大縮小される
ようプログラムされる、又は手段を有する、請求項１に記載の患者監視装置。
【請求項３】
前記コントローラは、さらに、
前記アラーム状態の深刻度又は前記アラーム状態の経過時間に基づいて前記拡張された形式のセクタのサイズを拡張する
ようプログラムされ、又は手段を有し、
前記アラーム状態は、時間、深刻度、又は段階的拡大のパラメータを超過する前記患者のデータの、測定された生理学的パラメータに基づく、
請求項１又は請求項２に記載の患者監視装置。
【請求項４】
前記コントローラは、さらに、
前記折り畳まれた形式のセクタを、前記患者のデータの限定された表現を含む小さなオブジェクトにより表すよう前記ディスプレイを制御し、さらに
前記拡張された形式のセクタを、前記患者のデータの完全な表現により表すよう前記ディスプレイを制御する
ようプログラムされる、又は手段を有する、請求項１乃至３何れか一項に記載の患者監視装置。
【請求項５】
前記ディスプレイはPDA、タブレットPC及び患者のベッドサイド・モニタのうち一つ以上に含まれる、
請求項１乃至４何れか一項に記載の患者監視装置。
【請求項６】
複数の患者についての医療パラメータを表示する方法であって：
ディスプレイの一つ以上のセクタを自動的に生成する段階であって、各セクタは、患者ベッド内の患者、又は患者ベッドに関連付けられている遠隔医療装置に対応する、段階と；
一つ以上の遠隔医療装置から受信された医療パラメータを前記ディスプレイの対応するセクタに表示する段階と；
未決定の患者の事象、看護人のワークフロー、健康管理状態の変化又はアラーム状態を示す医療パラメータを受信すると、拡張された形式のセクタを自動的に表示する段階と；
前記拡張された形式のセクタを少なくとも部分的に透過的に、自動的に表示する段階、又は
（ａ）対応する前記遠隔医療装置が患者のデータを送信しないこと、及び（ｂ）前記受信された患者のデータが未決定の患者の事象を示さないことのうちの一つに応じて、折り畳まれた形式で前記ディスプレイのセクタを自動的に表示する段階、
のうちの一つの段階と；
を有する、方法。
【請求項７】
全ての前記折り畳まれた形式のセクタが均一のサイズになるように前記折り畳まれた形式のセクタのサイズを変更し、さらに全ての前記拡張された形式のセクタが均一のサイズになるように前記拡張された形式のセクタのサイズを変更する段階であって、前記セクタは前記ディスプレイの境界の範囲内で適合するように拡大縮小される、段階
をさらに有する、請求項６記載の方法。
【請求項８】
前記折り畳まれた形式の各セクタを、前記患者のデータの限定された表現を含む小さなオブジェクトにより表し、さらに前記拡張された形式のセクタを、前記患者のデータの完全な表現により表す段階
をさらに有する、請求項６又は請求項７に記載の方法。
【請求項９】
前記アラーム状態の深刻度又は前記アラーム状態の経過時間に基づいて前記拡張された形式のセクタのサイズを変更する段階をさらに有し、
前記アラーム状態は、時間、深刻度、又は段階的拡大のパラメータを超過する前記患者のデータの、測定された生理学的パラメータに基づく、
請求項６乃至８何れか一項に記載の方法。
【請求項１０】
複数の前記遠隔医療装置のそれぞれが患者のデータを送信しているかどうかを決定する段階と；
遠隔医療装置が患者のデータを送信することに応じて前記患者のデータが未決定の患者の事象を示すかどうかを決定する段階と；
をさらに有する、請求項６乃至９何れか一項に記載の方法。
【請求項１１】
請求項６乃至１０何れか一項に記載の方法をプロセッサに実行させるようプログラムされるソフトウェアを含むコンピュータ読み取り可能な記録媒体。
【発明の詳細な説明】
【技術分野】
【０００１】
本出願は、患者の生理的状態を監視するための医療監視と臨床データ表示装置に関する。患者の監視、中央端末（central  station）のモニタ又は複数患者のダッシュボード表示装置の上の、患者情報についての構成及びアクセシビリティを改善する、特定のアプリケーションが示され、それらに対する特定の参照と共に説明される。
【背景技術】
【０００２】
現在、中央端末又は他の複数の患者監視装置は、それぞれの患者のベッドに割り当てられた、ディスプレイの固定領域又はセクタ（sector）を有する。監視するセクタは、患者の識別、監視される生理学的データ、状態、アラーム等を表示する。患者がベッドにいない場合には、そのセクタは割り当てられたままブランクになる。それぞれのセクタは、典型的には、それぞれの患者の複数の生理学的パラメータを表示する。生理学的パラメータとは、例えばEGG信号、呼吸信号、脈拍数、血圧、SpO2及び患者の健康又は健康状態についての他のインジケータ等である。より多くの生理学的パラメータが監視されるにつれ、表示される情報は、患者に割り当てられた固定のセクタに合うように、要約されるか、あるいは、より小さく読みにくいサイズ等で表示される。シンプルな、患者が着用する生理学的パラメータ測定装置がより広く利用可能になるにつれて、より多くの生理学的パラメータが、それぞれの患者のために測定されるようになる。
【発明の概要】
【発明が解決しようとする課題】
【０００３】
本出願は、上で述べた問題や他の問題を克服する、新しい改善された患者監視装置を提供する。
【課題を解決するための手段】
【０００４】
一つの実施形態によれば、患者監視装置が提供される。ディスプレイは、複数のセクタを表示する。コントローラは、一つ以上の遠隔医療装置から受信された患者のデータを前記ディスプレイの対応するセクタに表示する。前記コントローラは、少なくとも、未決定の（pending）患者の事象又はアラーム状態を示す患者のデータを受信するセクタを拡張し；拡張された、少なくとも部分的に透過的な前記セクタを表示する、又は（１）対応する前記遠隔医療装置から患者のデータを受信しないこと、若しくは（２）未決定の患者の事象、看護人のワークフロー、健康管理状態の変化若しくはアラーム状態を示さない、患者のデータを受信したことのうちの一つに応じて、一つ以上のセクタを折り畳む；ようプログラムされる、又は手段を有する。
【０００５】
別の実施形態によれば、医療パラメータを表示する方法が提供される。一つ以上の遠隔医療装置から受信された医療パラメータは、ディスプレイの対応するセクタに表示される。前記ディスプレイのセクタは、（ａ）対応する前記遠隔医療装置が患者のデータを送信しないこと、若しくは（ｂ）前記受信された患者のデータが未決定の患者の事象を示さないことのうちの一つに応じて折り畳まれる。前記ディスプレイのセクタは、少なくとも未決定の患者の事象を示して受信された前記医療パラメータに応じて拡張される。
【０００６】
一つの利点は、必要に応じてディスプレイのセクタを自動的に生成することにある。
【０００７】
他の利点は、監視を最も必要としている患者の生理学的データの、より容易な可読性である。
【０００８】
他の利点は、スクリーンの情報混乱や、現在注意を払う必要のない患者の生理学的データによる注意散漫を減らすことである。
【０００９】
本発明のさらに他の利点は、当業者が、以下の詳細な説明を読んで理解することにより認識される。
【００１０】
本発明は、いくつかの構成要素及び構成要素の配置並びにいくつかの段階及び段階の配列において具体化され得る。図面は、好ましい実施形態を説明する目的のためだけに存在し、本発明を限定するように解釈されるべきではない。
【図面の簡単な説明】
【００１１】
【図１】本発明に従う患者表示モニタを表す図。
【図２】自動的に折り畳まれたセクタと手動で折り畳まれたセクタとを有する十個のセクタの表示。
【図３】本発明に従う患者表示モニタの動作のフローチャート。
【図４】バックグラウンドに送られ、アラームとともに自動で拡張するセクタを有する十個のセクタの表示。
【図５】患者のベッドサイド・モニタ内の患者表示モニタ。
【発明を実施するための形態】
【００１２】
図１を参照すると、患者監視装置１０は、複数の患者のベッド１２を、例えば集中型の、複数患者の臨床表示装置の中で監視する。患者監視装置１０は、監視するベッドに関して、ナースステーションのような中心によく配置される。患者のベッド１２のそれぞれの患者は、一つ以上の遠隔医療装置８を有する。遠隔医療装置８は、患者の生理学的パラメータを測定し、それを表す生理学的データを生成する。これらの遠隔医療装置８は、ECGセンサ、IV流体ポンプ、血圧センサ、SpO2センサ、パルスセンサ、温度計、呼吸センサ及び呼気ガスセンサを含む。当然に、他の遠隔医療装置８が患者と関連付けられ得る。また、上で述べた遠隔制御装置８の全てが、常に患者と関連付けられている必要はない。ここで用いられるように、医療装置は、患者の健康又は介護人のワークフローを示すデータソース（例えば医療管理スケジューラ）を表す。
【００１３】
遠隔医療装置８は、測定された生理学的データをローカルバッファ１４に伝える。バッファ１４は、遠隔医療装置８により測定された生理学的データの収集箇所（gathering  point）としての機能を果たし、データの一時的な保管領域を提供する。ローカルバッファ１４は、例えば患者のベッドサイド・モニタや、歩行用の患者が身につける監視システムの送信器のような、患者とともに移動するモニタ等に存在し得る。ローカルバッファ１４は、例えばそれぞれのベッド、ベッドのグループ又は部屋に永続的に関連付けられた、壁に取り付けられるモニタのような、より永続的な固定物であってもよい。遠隔制御装置８とローカルバッファ１４との間の通信リンクは、無線、有線又は両方の組み合わせであり得る。同様に、遠隔制御装置８は、バッテリ、外部AC電源又は両方の組み合わせにより給電され得る。
【００１４】
ローカルバッファ１４は、患者監視装置１０と通信する。生理学的データは、連続的又は定期的に通信され得る。所定の患者のために、EGGのようないくつかのデータが連続的に通信され、血圧のような他のデータが定期的に通信され得る。コントローラ１６は、測定された生理学的データを、患者監視装置１０が責任を有する多数の患者のベッド１２のバッファ１４から受信する。コントローラ１６は、それぞれの患者から受信された、測定された生理学的データを、対応するセクタ２６の中に表示するために、患者監視装置１０のディスプレイ１８を制御する。コントローラ１６は、構成された患者のベッド１２に対応する、ディスプレイ１８のセクタ２６を自動的に生成する。患者監視装置１０は、ユーザインターフェース２０をも有する。ユーザインターフェース２０により、介護人又は外科、内科若しくは被覆の（covering）医師のような患者グループのようなユーザが、ディスプレイ１８の上に表示されるデータを閲覧し、かつ／あるいは操作することができる。インターフェース２０は、別個の部品であってもよく、又は例えばタッチスクリーンモニタと共にディスプレイ１８へ統合されてもよい。さらに、コントローラ１６は、特定の介護人、患者、部屋、装置等に割り当てられた、ディスプレイ１８のセクタ２６を制御し、あるいは操作するための、折り畳み（collapsing）ユニット２２と拡張（expanding）ユニット２４とを含む。折り畳みユニット２２と拡張ユニット２４は、プロセッサ又はコンピュータ、ソフトウェア、ハードウェア等を含み得る。
【００１５】
コントローラは、例えばマイクロプロセッサのようなプロセッサ２５をも含む。マイクロプロセッサは、さらに以下で詳細に説明される動作を実行する患者監視ソフトウェア、あるいは任意で、折り畳むためのソフトウェア又は拡張するためのソフトウェアを実行するように構成される。典型的には、患者監視ソフトウェアは、メモリ又はコンピュータ読み取り可能な媒体２３の中に保管されることができ、プロセッサ２５により実行されることができる。コンピュータ読み取り可能な媒体２３の種類には、ハードディスクドライブ、CD-ROM、DVD-ROM等のようなメモリが含まれる。プロセッサ２５の他の実装も予定される。ディスプレイコントローラ、ASIC（Application  Specific  Integrated  Circuits）及びマイクロコントローラは、プロセッサ２５の機能を提供するために実装され得る他の種類の要素の例である。実施形態は、プロセッサ、ハードウェア又はそのいくつかの組み合わせにより実行されるソフトウェアを用いて実装することができる。
【００１６】
任意で、生理学的データ評価ユニット２７は、それぞれの患者からの生理学的データを評価し、患者のセクタ２６が拡張されるべきか、あるいは折り畳まれるべきかを決定する。例えば、その評価は、アラームや、それぞれの測定されたパラメータが閾値に近づいているかどうか、あらゆるパラメータの傾向が閾値に近づいているかどうか、あらゆるパラメータが安定性を欠いていないか若しくは変動しすぎていないかどうか、パラメータの組み合わせが閾値に近づいていないかをチェックし、また患者が、程度の差はあるものの、監視を必要とする他のインジケータをチェックする。閾値とは、時間、深刻度、段階的拡大（escalation）等に基づいて境界を越える値を含む。生理学的評価ユニットは、適切にプログラムされたコンピュータ又はプロセッサ、プロセッサ２５により用いられるソフトウェア等を含み得る。
【００１７】
バッファ１４と患者監視装置１０との間の通信リンクは、無線であり得る。バッファ１４が、例えばIVスタンドの上に取り付けられるローカルモニタ又は着用のローカルモニタの中に実装される場合には、患者は、バッファ１４を伴ってその近くを離れることができる。バッファ１４と患者監視装置１０との間の無線通信により、患者の移動性を向上させる一方で、さらに患者の、選択されたパラメータを監視することを可能にする。バッファがより永続的な固定物において実装される場合には、バッファ１４と患者監視装置１０との間の通信リンクは、標準的なイーサネット（登録商標）のネットワークケーブルのような有線であり得る。
【００１８】
先に述べたように、コントローラ１６は、ディスプレイ１８に、個々のバッファ１４から受信した情報を表示するよう指示する。図２は、患者監視装置１０のディスプレイ１８がセクタ２６に分割され、それぞれのセクタ２６が一つのバッファ装置１４、すなわち一人の患者から受信された情報を示している。セクタ２６は図２について説明されるが、より多くのセクタ、あるいはより少ないセクタもまた予期される。患者監視装置１０ごとのセクタ２６の数は、ディスプレイ１８のサイズ、監視装置１０に対する患者の割合、患者のベッド１２の数及び他の要因により決定され得る。説明されるように、ディスプレイ１８のセクタ２６のそれぞれは、一つの患者のベッドに対応する。それぞれの患者に関連付けられた生理学的データは、対応するセクタ２６の範囲内に表示される。患者が特定のベッド１２に認められない場合、あるいは患者監視装置１０がバッファ１４からの情報を受信しない場合には、患者が認められないことを示すメッセージを表示する。折り畳みユニット２２は、空のセクタ２９を完全なサイズにしたままにするのではなく、空のセクタ４４を折り畳む。そして、拡張ユニット２４は、セクタ４４が折り畳まれた場合に、解放された空間を利用するために、他のセクタ２６を拡張する。
【００１９】
ディスプレイ１８のセクタ２６は、バッファ１４から受信される情報に対応する、いくつかのサブディスプレイを有する。例えば、セクタ２６は、患者名、ベッド又は部屋番号、割り当てられた患者グループ、介護人又は介護チーム及び固有の病院IDのような他の識別情報が表示される、患者IDサブディスプレイ３０を有する。ECGサブディスプレイ３２は、患者についてのバッファ１４から受信された、最新のECG測定値を表示する。パルスサブディスプレイ３４は、患者の最新の脈拍数を表示する。血圧サブディスプレイ３６は、患者からの最新の血圧測定値を表示する。さらに、SpO2ディスプレイ３７、呼気終末CO2（etCO2ディスプレイ）、呼吸ディスプレイ等も存在し得る。典型的には、スペースの限界により、三つか四つの値のみがセクタ２６上に表示され得る。それぞれのさらなるセクタ２６は、それぞれのセクタ２６が別個の患者を表すことを除いて、同様の情報を表示する。さらに、それぞれのセクタ２６は、独立に構成され得る。プロセッサ２５は、その時点で臨床状態又はワークフローがどのような状態かに基づいて、異なる情報を表示するようプログラムされ得る。
【００２０】
患者監視装置１０は、例えばそれぞれのセクタ内の視覚アラーム３８又は音声アラームスピーカ等のようなアラームを含む。一つ以上の生理学的データが閾値を超えた場合には（例えば、流れる心拍が下側の閾値を下回った場合、あるいは流れる血圧が上側又は下側の閾値になった場合）、アラーム３８は、潜在的な問題を医療関係者に通知するために、ディスプレイ１８上に表示される特定のアラーム情報を用い、適切に有効化される。患者監視装置１０は、視覚アラーム４０のような、未決定の（pending）患者の事象（event）のインジケータをも含む。一つ以上の生理学的データが、バッテリの低下やリード線の剥離等のような、潜在的な患者の事象を示す、ある所定の閾値を超えた場合には、アラーム４０は、潜在的な事象について医療関係者に警告するために有効化される。
【００２１】
患者監視装置１０のコントローラ１６は、ディスプレイ１８を、拡張された形式４２又は折り畳まれた形式４４で、ディスプレイのセクタ２６を表示するように制御する。図示されるように、ディスプレイ１８の右上のセクタ２６は、拡張された形式４２で、バッファ１４から受信された、対応する情報を表示している。拡張された形式４２のセクタ２６は、バッファ１４から受信された、患者IDを含む情報の完全なデータ表現と、複数の生理学的データと患者の状態についてのサブディスプレイとを、ディスプレイ１８上の完全な、あるいは拡張されたサイズのオブジェクトとして表示する。折り畳まれた形式のセクタ４４は、対応するバッファ１４から受信された情報の限定的なデータ表現を、ディスプレイ１８上の小さなオブジェクトとして表示するよう構成される。そのような限定は、個人の基準、あるいは、例えば病院の特定の部屋の患者のモニタのような、局所的な基準に従って好ましくは提供され得る。該個人の基準とは、例えばケア群（care  group）の患者モニタ（一人の看護人又は特定の看護人のグループが通常担当する）、患者の最も優先度の高い生理学的データである。この状態情報は、記号、絵文字、符号及び／又は英数字記号により好ましくは表示される。拡張された領域のコンテンツは、テキストのみ、あるいは記号、絵文字、符号及び／又は英数字記号の組み合わせであり得る。
【００２２】
折り畳まれた形式４４と拡張された形式４２のセクタのサイズと位置は、ディスプレイ１８の固有のスクリーン構成に依存する。一つの実施形態においては、折り畳まれた形式４４と拡張された形式４２のセクタのサイズは、折り畳まれた形式のセクタ４４の全てが均一なサイズであり、かつ、拡張された形式のセクタ４２の全てが均一のサイズであるように分けられる。さらに別の実施形態においては、折り畳まれた形式４４と拡張された形式４２のセクタは、それらがディスプレイ１８の境界内に適合するように拡大縮小（scale）される。別の実施形態においては、拡張された形式４２のセクタのサイズは、患者の事象の深刻度又はアラームの状態に基づく。さらに、拡張された形式のセクタ４２のサイズは、患者の事象又はアラーム状態に遭遇してから経過した時間に基づくことができる。例えば、アラーム状態が解消された後には、セクタは時間と共に、次第に小さくなってもよい。折り畳まれた形式４４と拡張された形式４２のセクタのサイズは、一人以上の患者についてのより多くの詳細な情報を表示するために、増減され得る。一つの実施形態において、能動的に監視されている患者に対応する、折り畳まれた形式４４と拡張された形式４２のセクタのみが、さらにディスプレイ１８の全てのセクタ２６の監視を可能にするために、所定の最小サイズ又は最大サイズへとサイズを増減され得る。また、好ましくは、拡張された形式４２と折り畳まれた形式４４のセクタが互いに重複しないか、あるいは一時的にのみ重複する。サイズと自動的なウィンドウの生成は、アラームの深刻度と状態が持続する時間とに基づき得る。境界線の装飾、背景の明度、背景の透過性及び色は、選択されたセクタに注目するようにも用いられ得る。
【００２３】
監視される生理学的データについてのユーザの相互作用と交換を可能にするために、患者監視装置１０は、ディスプレイ１８に加えて、セクタのユーザインターフェース又は入力／出力（I/O）部４６を、それぞれのセクタ２６に対して含むことができる。セクタのユーザインターフェース４６により、ユーザは、例えばタッチスクリーンディスプレイのようなディスプレイ１８上に表示されるそれぞれのセクタ２６のデータを閲覧し、かつ／又は操作することができる。さらに、監視装置１０は、ユーザ入力を可能にするために、キーパッド、キーボード、接触スクリーン又は他の入力装置（図示されない）を任意で有する。
【００２４】
一つの実施形態において、ユーザインターフェース４６により、ユーザは、ディスプレイ１８の特定のセクタを、自動折り畳み（auto-collapse）モード、自動拡張（auto-expand）モード又は背景への折り畳み（collapse  to  background）モードに定義することができる。自動折り畳みモードでは、セクタ２６は、コントローラ１６によりスタンバイモードに設定された、対応するバッファ１４からの生理学的データを受信しない場合か、又は、セクタ２６を自動折り畳みモードに設定するためのユーザの選択を通じて、折り畳まれた形式４４で自動的に表示される。自動拡張モードでは、ディスプレイ１８のセクタ２６は、バッファ１４からの有効な生理学的データを受信した場合か、未決定の患者の事象を示す生理学的データを受信した場合か、アラーム状態において、拡張された形式４２で自動的に表示される。背景への折り畳みモードでは、セクタ２６は、折り畳まれた形式４４で存在し、ディスプレイ１８の背景に付属(attach)する。
【００２５】
図３は、患者監視システム１０のコントローラ１６の主な動作を示す。ステップ５０において、患者監視システム１０は、患者のベッド１２又は遠隔医療装置８に対応する、ディスプレイのセクタ２６を自動的に生成する。ステップ５２において、患者のベッド１２又は遠隔医療装置８から受信された生理学的データは、ディスプレイ１８の対応するセクタ２６に表示される。ステップ５４において、患者監視システム１０は、患者のベッド１２又は遠隔医療装置８が送信しているかどうか、あるいはコントローラ１６が患者のベッド１２又は遠隔医療装置８のバッファ１４から生理学的データを受信しているかどうかを決定する。ステップ５６において、患者のベッド１２又は遠隔医療装置８が生理学的データを送信していないことに応じて、ディスプレイ１８の対応するセクタ２６は、折り畳まれた形式４４で配置される。ステップ５８において、患者のベッド１２又は遠隔医療装置８が生理学的データを送信している場合には、患者監視システム１０は、受信された生理学的データが、未決定の医療事象又はアラーム状態を示すかどうかを決定する。ステップ６０において、受信された生理学的データを表示している、対応するセクタ２６は、生理学的データが未決定の医療事象又はアラーム状態を示さないことに応じて、折り畳まれた形式４４で配置される。ステップ６２において、受信された生理学的データが未決定の医療事象又はアラーム状態を示すことに応じて、ディスプレイ１８の、対応するセクタ２６は、拡張された形式４２で配置される。コントローラ１６は、ステップ５０−６０を実行するようプログラムされるプロセッサであるか、あるいは該プロセッサを含む。
【００２６】
図４と図５は、拡張された形式４２で、特定の患者に関して医療事象又はアラーム状態が発生したことを医療関係者に警告するセクタを示している。患者の事象又はアラームを示す生理学的データを送信している患者に対応するセクタは、そのような状態が存在する有診査の個人（medical  personal）に注目するために、拡張される。拡張された形式のセクタ４２は、折り畳まれた形式４４のセクタより大きくなるように拡大され、さらに、完全又は部分的に折り畳まれた形式４４のあらゆるセクタが全く目立たなくならないように配置される。折り畳まれた形式４４のセクタは、ある位置に固定された静的な領域の中にある必要はなく、スクリーンに沿って移動可能である。患者の事象又はアラーム状態を示している、拡張された形式４２のセクタは、異なる患者の、別の拡張された形式のセクタ４２又は折り畳まれた形式のセクタ４２と一時的に重複してもよい。別の実施形態において、拡張された形式４２のセクタは、全ての拡張されたセクタ４２がディスプレイの境界の内側で適合するように拡大縮小されるようにサイズが変更される。別の実施形態において、患者監視装置１０は、大多数の患者を監視する。例えば、病院のネットワークと無線で接続するEGGのパッチは、患者ごとに取り付けられ得る。該パッチは多数の患者に適用され得るが、全ての患者は、そのセクタを折り畳むことによって監視され得る。パッチの信号が患者の事象又はアラームを示す、あらゆる患者は、そのような状態について医療関係者に警告するために自動的に拡張し、かつ／又は他のセクタは折り畳む。患者、ベッド又は装置へ導き、オブジェクトをセクタ又は領域に強制するために、リスト（list）がユーザに提供され得る。
【００２７】
図４は、セクタ２６が自動折り畳みモードと背景への折り畳みモードで構成される、患者監視装置１０を示す。生理学的データを受信するセクタ２６は、折り畳まれた形式４２で存在し、ディスプレイ１８の背景に付属している。図４において、左下のセクタは、アラーム状態を示す受信された生理学的データを有し、拡張された形式４２で配置されている。拡張された形式のセクタ４２は、折り畳まれた形式４４のセクタより大きくなるよう拡大され、さらに、あらゆる他のセクタ２６が全く目立たなくならないように配置される。複数のセクタが、患者の状態の深刻度に関連して、均一又は不均一のサイズに一斉に拡張されることができ、あるいは、透過的であり得る。セクタ４２の拡張された形式は、透過オブジェクトとして表示され得るため、ユーザは、拡張された領域によって消費される領域の下の、別の警告又は事象の存在を視認することができる。任意で、このウィンドウは、ユーザにより移動可能又はドラッグ可能である。図５は、患者のベッドサイド・モニタ内の患者監視装置１０を示す。ベッドサイド・モニタにより監視されている生理学的データは、ディスプレイ１８の背景の中に表示されている。同一の病院のウィング又はフロアの遠隔医療装置８と患者のベッド１２は、折り畳まれた形式４４を有するセクタの中に表示される。したがって、医師は、ある患者のベッドのそばにいながら、そのウィング又はフロアの患者全員を監視することができる。同一の病院又はフロアの中の他の患者の一人の患者の事象又はアラーム状態に応じて、事象又はアラーム状態を有する該患者に対応するセクタは、拡張された形式４２に拡張される。別の実施形態において、患者監視システム１０のディスプレイ１８は、PCA、PC、タブレットPC等のディスプレイである。
【００２８】
本発明は、好ましい実施形態への参照とともに説明された。上述の詳細な説明を読んで理解することで、修正及び代替が他人の心に浮かび得る。本発明は、そのような全ての修正及び代替が、添付されるクレーム又はその均等物の範囲内である限りにおいて、該修正及び代替を含むものとして構成されることを目的としている。
【図１】
0005613231.tif 000002
【図２】
0005613231.tif 000003
【図３】
0005613231.tif 000004
【図４】
0005613231.tif 000005
【図５】
0005613231.tif 000006